(57)【要約】  【課題】エンジンオイル量を点検する際に、上部旋回体の上まで昇降することなく、点検作業を容易に行えるようにする。  【解決手段】上部旋回体の外部に透過式のレベルゲージ２２を装着し、オイルパン２４のドレイン部２８に連通管２９の一端を接続するとともに、案内筒２６の下部に連通管３０の一端を接続する。そして、レベルゲージ２２の下部のポート３１に連通管２９の他端を接続し、上部のポート３２に連通管３０の他端を接続する。レベルゲージ２２をオイルパン２４内の油面と略同じ高さに設置することにより、オイルパン２４に収容されたエンジンオイル２３は連通管２９を通じてレベルゲージ２２に流入し、連通管３０を通じてオイルパン２４内の空気とレベルゲージ２２内の空気が流通するので、レベルゲージ２２内の油面は前記オイルパン２４内の油面と同じ高さとなる。【選択図】図２
2005030366.tif 000002
【特許請求の範囲】
【請求項１】
上部旋回体に搭載されたエンジンの近傍に案内筒を固設し、該案内筒内に検油棒を挿入してオイルパンに収容されたエンジンオイル量を検出するように形成した建設機械に於いて、
上部旋回体の外部に透過式のレベルゲージを装着し、前記オイルパンのドレイン部と案内筒の下部とに夫々連通管の一端を接続し、該連通管の他端を前記透過式のレベルゲージに接続したことを特徴とする建設機械のエンジンオイルレベルゲージ。
【請求項２】
上記透過式のレベルゲージをキャブの扉近傍で、且つ、オイルパン内の油面と略同じ高さに設置した請求項１記載の建設機械のエンジンオイルレベルゲージ。
【発明の詳細な説明】
【技術分野】
【０００１】
本発明は建設機械のエンジンオイルレベルゲージに関するものであり、特に、点検作業を容易にしたエンジンオイルレベルゲージに関するものである。
【背景技術】
【０００２】
従来の建設機械のエンジンオイルレベルゲージは、上部旋回体に搭載されたエンジンの近傍に案内筒を固設し、該案内筒内に検油棒を挿入してオイルパンに収容されたエンジンオイル量を検出するように形成されている。エンジンオイル量を点検する際には、作業者が上部旋回体の上に登ってエンジンフードを開放し、前記案内筒から検油棒を引き抜いてエンジンオイルの付着位置を確認している。従って、点検する都度、上部旋回体の上まで昇降しなければならず、点検作業が煩雑であるとともに作業者が機械から転落する虞もあった。
【０００３】
この不具合を解消するために、オイルパンに連通管を介して接続した案内筒の下端部をオイルパン下端面より下方に配置し、該案内筒に検油棒を挿入してエンジンオイル量を検出するように形成したオイルレベルゲージが知られている（例えば、実用新案文献１参照）。
【特許文献１】実開平６−８０８０６号公報（第１〜２頁、図１）。
【発明の開示】
【発明が解決しようとする課題】
【０００４】
上記特許文献１記載のオイルレベルゲージは、連通管を延設してエンジンから離れた位置に案内筒を設けることにより、エンジンオイル量の点検が比較的容易となる。しかし、点検の際に検油棒を引き抜かなければならず、操作性が良好ではなく、検油棒に付着したエンジンオイルが作業者の衣服を汚損することもある。
【０００５】
そこで、エンジンオイル量を点検する際に、上部旋回体の上まで昇降することなく、点検作業を容易に行えるようにするために解決すべき技術的課題が生じてくるのであり、本発明はこの課題を解決することを目的とする。
【課題を解決するための手段】
【０００６】
本発明は上記目的を達成するために提案されたものであり、請求項１記載の発明は上部旋回体に搭載されたエンジンの近傍に案内筒を固設し、該案内筒内に検油棒を挿入してオイルパンに収容されたエンジンオイル量を検出するように形成した建設機械に於いて、上部旋回体の外部に透過式のレベルゲージを装着し、前記オイルパンのドレイン部と案内筒の下部とに夫々連通管の一端を接続し、該連通管の他端を前記透過式のレベルゲージに接続した建設機械のエンジンオイルレベルゲージを提供する。
【０００７】
オイルパンに収容されたエンジンオイルは連通管を通じて透過式のレベルゲージに流入し、該レベルゲージ内の油面は前記オイルパン内の油面と同じ高さとなる。従って、該レベルゲージの油面高さを計測することにより、前記オイルパン内のエンジンオイル量を検出できる。
【０００８】
請求項２記載の発明は、上記透過式のレベルゲージをキャブの扉近傍で、且つ、オイルパン内の油面と略同じ高さに設置した請求項１記載の建設機械のエンジンオイルレベルゲージを提供する。
【０００９】
透過式のレベルゲージをキャブの扉近傍に設置することにより、作業者の点検作業が容易となる。
【発明の効果】
【００１０】
請求項１記載の発明は、上部旋回体の外部に透過式のレベルゲージを装着し、オイルパンのドレイン部と案内筒の下部とに夫々連通管の一端を接続し、該連通管の他端を前記透過式のレベルゲージに接続したので、該レベルゲージの油面高さを計測することにより、前記オイルパン内のエンジンオイル量を検出できる。このため、従来のように、エンジンオイル量を点検する際に検油棒を引き抜く必要がなく、操作性が良好となり、エンジンオイルで作業者の衣服を汚損する虞もない。また、既存のエンジンオイルレベルゲージを利用して、僅かな部品の追加にて構成できるため、安価な費用でエンジンオイルレベルゲージを形成することができる。
【００１１】
請求項２記載の発明は、透過式のレベルゲージをキャブの扉近傍で、且つ、オイルパン内の油面と略同じ高さに設置したので、請求項１記載の発明の効果に加えて、エンジンオイル量を点検する際に、上部旋回体の上まで昇降することなく、作業者の点検作業が容易となり、作業者が機械から転落する虞もない。
【発明を実施するための最良の形態】
【００１２】
以下、本発明の一実施の形態を図面に従って詳述する。図１は建設機械の一例として油圧ショベル１０を示し、下部走行体１１の上に旋回機構１２を介して上部旋回体１３が旋回自在に載置されている。上部旋回体１３にはその前方一側部にキャブ１４が設けられ、且つ、前方中央部にブーム１５が俯仰可能に取り付けられている。更に、ブーム１５の先端にアーム１６が上下回動自在に取り付けられ、該アーム１６の先端にバケット１７が取り付けられている。
【００１３】
一方、前記上部旋回体１３の後部にはエンジン１８を搭載し、該エンジン１８はエンジンフード１９にて被蔽する。そして、エンジン１８の後部にカウンタウエイト２０を装着する。また、前記キャブ１４の扉２１の近傍にレベルゲージ２２を設置する。
【００１４】
図２はエンジンオイルレベルゲージの構成図であり、エンジン１８の下部位置にエンジンオイル２３を収容するオイルパン２４を取り付けてある。エンジン１８の近傍には既存のエンジンオイルレベルゲージ２５が設けられている。該エンジンオイルレベルゲージ２５は、エンジン１８の側方に固設され且つその下端部がエンジン１８内に連通している案内筒２６と、該案内筒２６に挿入されて下端部がエンジンオイル２３の油面に到達する検油棒２７とからなる。
【００１５】
ここで、前記オイルパン２４の底部にはドレイン２８が設けられているが、本発明では、該ドレイン２８に連通管２９の一端を接続するとともに、前記案内筒２６の下部に連通管３０の一端を接続する。そして、前述したレベルゲージ２２の下部のポート３１に前記ドレイン２８に接続した連通管２９の他端を接続し、上部のポート３２に前記案内筒２６に接続した連通管３０の他端を接続する。
【００１６】
前記レベルゲージ２２をオイルパン２４内の油面と略同じ高さに設置することにより、オイルパン２４に収容されたエンジンオイル２３は連通管２９を通じてレベルゲージ２２に流入し、連通管３０を通じてオイルパン２４内の空気とレベルゲージ２２内の空気が流通するので、該レベルゲージ２２内の油面は前記オイルパン２４内の油面と同じ高さとなる。
【００１７】
そして、該レベルゲージ２２は透過式であるので内部のエンジンオイル２４を外部から視認できる。該レベルゲージ２２の油面高さを計測することにより、前記オイルパン２４内のエンジンオイル量を検出することができる。また、該レベルゲージ２２はキャブの扉２１の近傍位置に設置されているので、作業者がレベルゲージ２２を目視し易く、エンジンオイル量の点検作業を容易に行うことができる。
【００１８】
尚、本発明は、本発明の精神を逸脱しない限り種々の改変を為すことができ、そして、本発明が該改変されたものに及ぶことは当然である。
【図面の簡単な説明】
【００１９】
図は本発明の一実施の形態を示すものである。
【図１】油圧ショベルの側面図。
【図２】エンジンオイルレベルゲージの構成図。
【符号の説明】
【００２０】
１０        油圧ショベル
１３        上部旋回体
１４        キャブ
１８        エンジン
２１        扉
２２        レベルゲージ
２３        エンジンオイル
２４        オイルパン
２６        案内筒
２７        検油棒
２８        ドレイン
２９        連通管
３０        連通管
３１        ポート
３２        ポート
【図１】
2005030366.tif 000003
【図２】
2005030366.tif 000004